(57)【要約】【課題】  本考案は、全体に杉の皮を使用して、自然に杉の匂いを臭わせ天然の匂いを自然に誰でも灯ろうにて味わうことができる、自然環境に最も適した生活を提供するものである。【解決手段】  自然環境を最も達成するため、杉皮２を主体とした杉皮とうろうにおいて、杉皮２，杉柱３，杉屋根板６，杉板７、底板基台１２と全面的に杉皮にて覆わせ、中間部に位置する電球から発光させる光は発光比率の少ない電球又は蛍光灯を使用し、発する光を手すき和紙障子１５を透過させ、杉皮灯ろうに施し、今までに形成されなかった自然環境に最も適合したとうろうとして強調される様にしたものである。【選択図】図１
0003133409.tif 000002
【実用新案登録請求の範囲】
【請求項１】
自然山地に生育する杉の木材、並びに、杉の皮を主体として、底板基台（１２）の上に２０から２４ミリ程の４本の杉柱（３）を組み立て、その４本の杉柱（３）の上部に三本の屋根柱（８）を２本は杉柱（３）の上部に直角に固定し、１本は杉屋根板（６）に交互に組合せ固定され、その屋根柱（８）の上に杉板（７）を屋根形式に設置し、その上に杉皮を束ね合わせ構築した杉皮（２）を屋根瓦形式に重ね合わせて杉屋根を構築し、構築されたかかる屋根は杉波（２）の上からセットネジ（５）を用いて屋根上にセットした三本の押さえ竹材（４）にて固定し、三本の屋根柱（８）と一体に固定させ、更にその屋根の直ぐ下には、前面、表裏両側面、裏面の４側面を杉皮（２）にて構築し、その構築された杉皮の下には４面の手すき和紙障子（１５）を、その構築された４面の手すき和紙障子（１５）の下には、杉皮（２）を貼り付けた４側面を更に設け、前面（図１）と側面（図２）の前後面の上部には押さえ竹材（４）を装着せしめ、その下、即ち、杉皮とうろうの最低部を底板基台（１２）にて設けたことを特徴とする杉波とうろう。
【請求項２】
底板基台（１２）の檜材上に４本の檜柱（３）を組み立て、その上部の４本の檜柱（３）の上の三本の屋根柱（８）を檜材にて一部使用することを特徴とする請求項１記載の杉波とうろう。
【請求項３】
手すき和紙障子１５の内部には発光部２０、即ち、２５Ｗ・４０Ｗ・６０Ｗの発熱比率の少ない電球又は蛍光灯を選択し底板基台１２上に装着することを特徴とする請求項１、請求項２記載の杉波とうろう。
【考案の詳細な説明】
【技術分野】
【０００１】  本案は、自然山地に生存する杉の木材を主体とし用いてとうろうに構成し、またこれに檜木材等を更に加味する等、露天風呂、玄関出入口足下照明、旅館・料亭等のインテリア照明、庭先の照明とか自然環境に最も適した杉皮とうろうに関する。
【背景技術】
【０００２】  灯ろうが含まれる照明器具に関して、従来から墓石・葬祭灯ろう・神仏具・仏壇・室内人工庭園用部材とか石造品が主体となり、石材製モニュメントとして進展してきた。しかし、今日まで、竹又は杉を全面に用いた灯籠の出願並びに公開公報には見あたらない。【０００３】  一方、「杉皮」が含まれる商標「すぎひのこころ／杉皮の心」が登録され、認証されているが、本実用新案登録に示された「杉皮とうろうと」とは、商標の指定商品・役務項目に示された商品・役務は灯ろう指定は無く、本特許・実用新案登録には関係無い。
【考案の開示】
【考案が解決しようとする課題】
【０００４】  しかしながら、本考案は、用済み後において、竹灯籠として再利用可能な竹筒容器として形成させる従来の竹筒を用いた形態、即ち「実用新案登録第３０８９５５２号」とは異なり、この考案は全体に竹皮を使用して、自然環境に竹の匂いを臭わせ、全体的に庭先の照明とか天然の匂いを自然に誰でも灯ろうにて味わうことができる、生活自然環境に最も適した自然環境を提供できる杉皮とうろうに関する。
【課題を解決するための手段】
【０００５】  上記の自然環境を提供できる課題を達成するために本考案は、杉皮２、杉柱３、杉屋根板６、杉板７、底板基台１２と全面的に杉皮にて覆われ、主に、中間の前面、両側面、裏面の４面窓部は、即ち、内部設定の電球から発光させる発光部２０からの光を手すき和紙障子１５を透過させ、今までに形成させなかった自然環境に最適の杉皮灯籠用窓を提供することを目的とする。
【考案を実施するための最良の形態】
【０００６】  図１、図２、図３に示すように、まず両側の２４ミリ程度の杉柱３の上に各屋根柱８を組合せ固定し、杉柱３の下端部を３センチ巾の底板基台１２に固設し、屋根柱８の上に図３に示すように杉板７を、その上に杉皮２を重ねて合わせ屋根を構築し、この屋根を図１、図２、図３に示す天然の重ね合わせ杉屋根板を構築させる。【０００７】  図１、図２、図３に示す天然の重ね合わせ杉屋根板の上には、図１、図２、図３に示すように、屋根の上部には押さえ竹材４にてセットネジ５にて屋根柱８と締め付け固着セットして構築させる。
図１に示す前面図の杉皮２の前側面の端部の近くには杉板７が杉屋根板６と合わせて装着され固着される。
杉屋根板６は屋根柱８とセットネジ５により図１に示される前面のみに固着される。
従って、図３に示す裏面には杉屋根板６は装着されない。【０００８】  杉皮を細かく粉砕し貼り付け形成させた杉皮２板は手すき和紙障子１５の上部面、下部面に貼り付け、図１、図２、図３に示されるごとく、杉皮とうろうの全面に今までにない杉皮の機能効果が発揮されるように構成される。
なお、下部面に貼り付けられる杉皮の上面には押さえ竹材４が、図３に示す裏面を除く前面、側面の３面にそれぞれ装着される。【０００９】  手すき和紙障子１５は図１、図２に示す前面、側面の表裏、即ち、かかる３面に窓枠材１６が手すき和紙障子１５の上面に窓枠材１６が芸術的に組み立てられている。それに対し、図３に示される裏面には十文字形の窓枠材１６が組み立てられ、２ヶ所の蝶番１４にて維持され、反対側の鈎２４にて開きを閉鎖させる形態にして組み立てられる。【００１０】  手すき和紙障子１５の内部には図３に示されるようにソケット２１、電気コート２２により発光部２０、即ち、２５Ｗ・４０Ｗ・６０Ｗの発熱比率の少ない電球又は蛍光灯を選択し底板基台１２上に装着する。【００１１】  図３の裏面に示される屋根柱８に穴１０を設置し、底板基台１２の裏面部に空気を放出させる空気穴１９を凹面１８部に設置し、発光部２０からの放出熱を杉皮灯ろうから適正に最小に放出させる機能を持たしめている。【００１２】  上記杉皮を主体として組み立てた杉皮とうろうの一部分に檜皮を組み合わせて挿入させ加味構成した今までに得られなかった天然の匂いを味わうことのできる機能を持たせることもできる。
【考案の効果】
【００１３】  本考案の杉皮とうろうは天然の植物材木にて全体を主体的に構築させることにより、即ち、自然材料を多く集めて自然環境を集成させることにより、露天風呂、玄関出入り口足下照明、旅館・料亭等のインテリア照明、庭先の照明等とか様々な用途に使用可能な、産業上の利用分野に今までにない天然の匂いを自然に誰でも灯ろうにて味わうことができる今までに得られなかった自然環境に適合した灯ろうを提供する。
【図面の簡単な説明】
【００１４】
【図１】本考案の状態を示す前面図
【図２】本考案の状態を示す側面図
【図３】本考案の状態を示す裏面図
【図４】本考案の屋根面図
【図５】本考案の底面図
【符号の説明】
【００１５】１．    灯籠
２．    杉皮
３．    杉柱
４．    押さえ竹材
５．    セットネジ
６．    杉屋根板
７．    杉板
８．    屋根柱
９．    屋根面
１０．  空気抜け穴
１１．  開口部
１２．  底板基台
１３．  窓
１４．  蝶番
１５．  手すき和紙障子
１６．  窓枠材
１７．  枠材
１８．  凹面
１９．  空気抜け穴
２０．  発光部
２１．  ソケット
２２．  電気コート
２３．  ソケット差込部
【図１】
0003133409.tif 000003
【図２】
0003133409.tif 000004
【図３】
0003133409.tif 000005
【図４】
0003133409.tif 000006
【図５】
0003133409.tif 000007